(57)【要約】【課題】  健やかな睡眠を得るには、枕を使用して入眠の前に枕を使用して、▲１▼適正な仰向けの姿勢をつくり、▲２▼この姿勢を一定の時間保持することが必要である。  この要件を満たす枕となすための課題は、頭部から受ける負荷によって、枕とマットに作られた歪が相互に干渉して、最終的に負荷とバランスのとれた歪となるまでのタイムラグが大きいこと。  従って、適正な姿勢が定まらないこと、又姿勢の維持もできないことである。  本発明は、枕への荷重と歪の形成のタイムラグの問題、仰向きの姿勢での適正な枕による頭部の支持方法を課題とした。【解決の手段】  枕が頭部を支える重要な部分を限定して支えること、又、この部分を、たわみが大きく、荷重に比例したたわみを生じ、作動及び復帰の時間が早く、無負荷時に歪が残らない材質である、ばねを使用する機構によって解決したものである。【選択図】図４
2013223696.tif 000002
【特許請求の範囲】
【請求項１】
本発明による土手枕の支える範囲を、支える目的のクッション１０Ａとベース１２Ａの間に、ばね式クッションバランサー２３Ａを付設して、ばね（ねじりコイルばね１６）によって、クッション１０Ａが受ける荷重を、荷重の大きさに応じた大きな撓みと、復元力で受け止める方法による、図４に示す本発明による土手枕（垂直撓み型土手枕）。
【請求項２】
本発明による土手枕の支える範囲を、支える目的のクッション１０Ｂとベース１２Ｂの間に、ばね式クッションバランサー２３Ｂを付設して、ばね（ねじりコイルばね２６）によって、クッション１０Ｂが受ける荷重を、荷重の大きさに応じた大きな撓みと、復元力で受け止める方法による、図４に示す本発明による土手枕（円弧状撓み型土手枕）。
【請求項３】
請求項１に示した、本発明による土手枕（垂直撓み型土手枕）の手法を、枕の一部に利用した枕。
【請求項４】
請求項２に示した、本発明による土手枕（円弧状撓み型土手枕）の手法を、枕の一部に利用した枕。
【請求項５】
請求項１に示した、本発明による土手枕（垂直撓み型土手枕）の手法を、椅子用枕の一部に利用して付設した椅子。
【請求項６】
請求項２に示した、本発明による土手枕（円弧状撓み型土手枕）の手法を、椅子用枕の一部に利用して付設した椅子。
【請求項７】
請求項１に示した、本発明による土手枕（垂直撓み型土手枕）の手法を、ベッド用枕の一部に利用して付設したベッド。
【請求項８】
請求項２に示した、本発明による土手枕（円弧状撓み型土手枕）の手法を、ベッド用枕の一部に利用して付設したベッド。
【請求項９】
請求項１に示した、本発明による土手枕（垂直撓み型土手枕）の手法を、リラクゼーションや健康用機器、医療用機器の一部に利用して付設した機器。
【請求項１０】
請求項２に示した、本発明による土手枕（円弧状撓み型土手枕）の手法を、リラクゼーションや健康用機器、医療用機器の一部として利用して付設した機器。
【発明の詳細な説明】
【技術分野】
【０００１】  本発明は、枕に関するものである。
【背景技術】
【０００２】  枕は人間の睡眠に欠かせない重要な器具である。
睡眠は脳を除く肉体の、すべての機能を疲労から回復させると共に、脳自身も休息するための重要なものである。
旧来の睡眠は、敷布団やベッド上のマット（以下、これらをマットと言う）の上に、水平に横たわり眠ることが普通であったが、最近は入院患者でなくとも生活パターンの関係で、胸やけぎみ（胃食道逆流症等）の人や短時間睡眠の必要な人のなかには、上半身を少し起こした形にベッドをセットして（胃の位置より首から上が充分に高くなるようにして）横たわり眠る人も増えている。
又、仕事や勉強、趣味や遊びと多忙な現代の生活環境の中においては、短時間で効率の良い睡眠が必要であり、不眠症や無呼吸症候等で悩む人も多い。
しかし、枕については、図２に示す従来から広く使用されている枕７の形が主流であって、クッション材の部分８や芯の部分９及び素地類などの、素材的な改良は見られるものの、機構や機能的な改善が無いのが現状である。
本発明は、従来の枕の機能を改善して良質な睡眠を得る枕を提供し、人々の健康維持へ役立たせることを目的としたものである。
【発明の開示】
【発明が解決しようとする課題】
【０００３】  人間の睡眠は、眠っている全時間を同じ姿勢で眠るわけではない、基本的にはマットの水平面に両肩を接し、枕の上に頭部を乗せ、体が左右対称となるように伸ばして横たえた仰臥の姿勢を基本として睡眠を導入する。
枕に頭部を乗せることは、仰向けの姿勢で横たわるとき、頭部から首・肩の間をバランスよく支えて、精神的・肉体的なストレスを小さくして、睡眠直前に安静感・安心感・開放感を得て、睡眠の導入を容易とする為である。
他方、睡眠直前に安静感・安心感・開放感を充分に得て、睡眠を行なうことは睡眠の導入の他、睡眠の質を高めることとなる。
人が仰向けに寝た場合、安静感・安心感・開放感得てリラクゼーションして睡眠に入るための枕となすためには、以下の三項目を満足する機能を有する枕となすことが必要である。
（１）体の力を抜いた状態で、頭部５が安定して支えられていること。（ぐらぐらと、不安定で不規則に揺れ動かないこと、姿勢の一定時間の保持）
（２）枕が受ける負荷（圧力）の大部分は図１における、首の裏側ｃ〜後頭部の凸部ｄの間で受けている。
従って、首の裏側ｃ〜後頭部の凸部ｄの周辺を、バランスよく圧力を配分して支える機能を有すること。
（３）睡眠中は全睡眠区間中、同じ状況ではなく、レム睡眠の区間やノンレム睡眠の区間があり、姿勢も体の生理的な状況に応じて動くが、このような場合に無理なく動けること。（寝返りが容易に打てること）
以上、三項目の必要条件を満たす為の課題は次のとおりである。
必要条件、上記（１）の頭部５が安定する方法として、図２に示す、従来から使用されている汎用の枕においては、窪み７Ｄへ後頭部が嵌るように設計することで解決されている。
しかし、この形の場合には、後頭部全体が嵌ることとなるので、三項目（３）の自由な動きの妨げとなり、解放感のないことが第一課題となる。
必要条件、二項目（２）バランスよく圧力を配分して支える機能について、従来の枕は、枕の前面を少し隆起させた形状の土手７Ｃを設けることで対応しているが、個々の好み、体型の違いによって枕を使用する高さが異なることからその目的とした機能が十分に発揮できない欠点がある。
この課題を解決するために、上記（２）の課題に付いては、個々の体型に合わせて設計製作された、個人専用の特別注文の枕も販売されてはいるが、これらの枕は、主として枕の高さ（図１の、点ｃ〜点ｃ’間の距離Ｈ１と点ｄ〜点ｄ’間の距離Ｈ２）を実測して使用感を確認して製作されたものであるが、しかし、この枕が実際に使用するマットと設計用に使用したマットとが異なること、及び、枕のクッションは使用時間内でゆっくりと歪みの量が変化すること、又上体を少し起こした使用等、少し高さの変更をした場合の使用においては、意図した効果が発揮できない等の欠点がある。
図２に示した、従来から広く使用されている汎用の枕７のように、クッション材の部分８と芯の部分９を一体化して、クッション性を持たせた構造の枕の場合には、その枕を設置するマットの歪や、枕を設置する水平度等により、首の裏側ｃ〜頭部５までの間より、枕が受ける負荷の形が変化するため、従来の枕では充分な最適形状の保持が出来ていないのが現状である。
本発明の課題は、マットの上で身体を仰臥の姿勢をとり、睡眠を導入する時に使用する枕において、その枕の機能を、枕を設置するマットの種類や上体の傾斜角度の変化にも対応して、広い範囲の設置条件で枕としての機能（先に記述した三項目）を発揮させることを課題とした。
【課題を解決するための手段】
【０００４】  本発明は従来の枕の欠点を克服するために、以下の二点の事項に着目して、複合して作用させることにより成功させたものである。
（１）枕が受ける負荷（圧力）の大部分は、図１における、首の裏側ｃ〜後頭部の凸部ｄの間で受けている。
又、この間（首の裏側ｃ〜後頭部の凸部ｄ）を支える枕の部分が受ける、垂直方向の荷重及び水平方向の荷重を、バランスさせて安定的に支える枕となすことで、使用時に違和感なく安心感、安定感のある枕となること。
従って、本発明は枕の特徴は、首から頭部を支える枕の支える部分にあって、首の裏側ｃ〜後頭部の凸部ｄの間を、特に環椎（第一頸椎）の付近を重要視して、頭部の上下の動きに追従してバランスを取って支えることに着目して課題を克服したこと。
本発明の特徴である、枕の支える部分にあって、首の裏側ｃ〜後頭部の凸部ｄの間を支える部分は、図２に示す従来の汎用の枕において、概略土手７Ｃの中央部で支えていた部分を含むことから、本発明の枕においては、以下、本発明による土手枕と言うこととし、本発明による土手枕の支える範囲（首の裏側ｃ〜後頭部の凸部ｄの間）を、以下の説明において本発明による土手枕の支える範囲と言う。
（２）従来の枕は当初、頭部に枕を設置した状況と、時間の経過した後の状況では、頭部と枕の相対的な位置関係が少し変化してくる傾向がある。
従って、この変化が違和感をもたらし、これにより頭部を動かすなどして、適正な位置を探る動作を繰り返し、寝付く前、睡眠に至ることを妨げている。
その原因は、従来の枕を構成する材質がマットを構成する材質の物理的性質と大差がないためにマットの影響の比率が大きいこと。
又、窪み７Ｄへ後頭部を入れて、後頭部全体を下からクッション材で支える構造であることから、皮膚への良い接触感を満たすに必要なクッションとしての撓みは有しているが、負荷に対する応答速度が遅く、歪に対する復元速度も遅く、歪の回復量の比率も十分でないことから、上半身を起こして使用する場合のように頭部を支える高さや、上体の角度（枕の設置平面の条件変化）により、枕が受ける荷重の大きさと、方向の変化に対する対応が充分でない欠点があった。
本発明は、この欠点を解決するために、撓が大きく、負荷の大きさに比例した大きさの撓みを生じ、形状変化に対する復元速度が速く、無負荷時に歪が完全回復する、ばねをクッションとして用いる事に着目したこと。
以上、２点の着目点に基づいた改良により、本発明の土手枕は、弾性力に乏しい、品物を載せる台のような、又カオス的な歪ができる不安定な形の従来の枕と異なり、弾性力に富み、頭部からの力と方向に応じて、バランスして支え復元し、その応答速度も速い枕となして目的を達成したものである。
以下、図を持って本発明の原理等を説明する。
尚、前、後方向に関する説明に関しては、身体を真っ直ぐに伸ばして、仰向けに寝かせた状態において、頭部の頂点６と臍を通る直線の方向において、頭部の頂点６から臍へ向かう方向（頭部の頂点６→臍）と同じ方向から見られる位置に属する状態（頭部寄り）を後と言い、臍から頭部の頂点６へ向かう方向（臍→頭部の頂点）と同じ方向から見られる位置に属する状態（臍寄り）を前と言う（記述する）ものとする。
又、左右の位置関係については、身体を真っ直ぐに伸ばして、仰向けに寝かせた状態において、左耳側から見られる位置に属する状態を左と言い、右耳側から見られる位置に属する状態を右と言う（記述する）ものとする。
又、図面において機能的に同一のもので対称に使用された部品については、本説明において、左右を区別させた方が便利な部品に限り、部品番号と左右の取り付け位置を記入し、その他の部品は片方の部品に番号のみの記入とした。【０００５】  図３は本発明による土手枕（垂直撓み型土手枕）の構造を示す正面図（前側）である。
本発明による土手枕（垂直撓み型土手枕）はベース１２Ａとクッションベース１１Ａとの間を、ばね式クッションバランサー２３Ａを左右対称に軸１４（左、右）、軸２１（左、右）を介して、パンタグラフ状に接続した装置であって、クッション１０Ａはクッションベース１１Ａの上に装着した構造ある。
ばね式クッションバランサー２３Ａは、軸１７（左、右）へねじりコイルばね１６とアーム１９、アーム２０を組み込み、軸１７（左、右）を中心として、ねじりコイルばね１６へ掛かる負荷とバランスさせて、アーム１９とアーム２０の開き角度を変化させる構造となしている。
従って、図３に示す本発明による土手枕（垂直撓み型土手枕）を使用して、クッション１０Ａの中心部へ、本発明による土手枕の支える範囲を乗せて力を抜いて頭部を委ねるとクッション１０Ａは、ばね式クッションバランサー２３Ａによって、頭部からの負荷に反応して沈み込み、負荷の大きさに応じた位置でバランスして安定的に本発明による土手枕の支える範囲を、支える構造となしている。
尚、中央に付設したシリンダー２５とシャフト２４は、シリンダー２５内へシャフト２４を挿入して上下移動させて、クッション１０Ａの上下移動のガイドと下限のストッパーの役割を行うアダプターである。
次に、本発明による土手枕（円弧状撓み型土手枕）について説明する。
図４は本発明による土手枕（円弧状撓み型土手枕）の正面図（後側）及び断面図（中央線よりの切断部）である。
本発明による土手枕（円弧状撓み型土手枕）は、ベース１２Ｂの上部に、ねじりコイルばね２６と軸２８及び軸受２７によって構成するばね式クッションバランサー２３Ｂを設置し、ねじりコイルばね２６の上部のアームの先端部にクッションベース１１Ｂを取り付け、ねじりコイルばね２６の下部のアームの先端部はベース１２Ｂへ取り付けた構造となしたものである。
この時（無負荷状態において）、ねじりコイルばね２６の上部のアームとねじりコイルばね２６の下部のアームの開き角度は、軸２８を中心として、後側に鋭角となるように開いた状態となす。
又、頭部を支えるためのクッション１０Ｂは、クッションベース１１Ｂへ付設して使用する。
従って、図４において、クッション１０Ｂの中央部へ、本発明による土手枕の支える範囲を仰向けに乗せて力を抜いて頭部を委ねると、クッション１０Ｂは、ばね式クッションバランサー２３Ｂによって、頭部からの負荷に反応して、軸２８を中心とした、円弧を描きながら下方へ沈み込み、負荷の大きさに応じた位置でバランスして安定的に本発明による土手枕の支える範囲を支える構造となしている。
【発明の効果】
【０００６】  本発明による土手枕（垂直撓み型土手枕と円弧状撓み型土手枕）は、従来の枕と異なり、枕が支える部分を本発明による土手枕の支える範囲に限定し、枕が受ける荷重を、ウレタンフォーム等の不安定な緩衝材と異なり、ばねを利用したことを、特徴としていることから以下の効果がある。
（１）従来の枕より撓みは大きくなるが、▲１▼頭部の上下の動きに対し、頭部への密着の距離が大きいこと、▲２▼動きが規則的であり、負荷に対する応答が早く、瞬時に負荷の大きさにバランスして、バランスの中心位置で安定させること、▲３▼頭部の小さな動きに対するバランスのための、適度な撓みは、バランスを取るためのたわみであって、従来の枕のように最適のバランスを崩す歪ではないことから、揺らぎはむしろ快適に感じること。
（２）又、ベース（１２Ａや１２Ｂ）の底面で広く、頭部からの負荷を受けて、大きく撓む作用は、感覚的には枕の下敷きとなるマットの歪の影響は比率的にも小さく、大きな撓みのなかに吸収された形となり、マットからの影響が小さい枕となしていること。
（３）従って、撓みや歪は小さくと、もカオス的な不安定な地盤の上に頭部を乗せているような、従来の枕と異なり、大きな安定感のもとに、自由な解放感を得て、快適で大きな安心感を得て、睡眠を促進させる枕となしたこと。
（４）撓みが大きく、頭部の上下の動きに対する、頭部への密着する距離が長く、追従性が良いことは、リクライニング機能のある椅子などを使用して、上体を少し起こして眠るとき（又はリラクゼーションするとき）に、用いる枕としての適性に優れていること。
特に、本発明による土手枕（円弧状撓み型土手枕）を使用して、仰向けに寝て頭部を上下するときには、ねじりコイルばね２６は、負荷の大きさに応じて開き角が変化して、追従する機能であることから、その追従方法は、頭部の上下の動きによる、首の裏側ｃと後頭部の凸部ｄを結ぶ直線と水平面とがなす角度の変化にも、近似的した動きであることから、頭部５の上下移動の際、頭部とクッション１０Ｂとの接触面の接触状態の変化が小さく、極めて自然に頭部を支えることとなりその効果は大きい。
又、クッション１０Ｂとクッションベース１１Ｂの組み合わせによる構造は、頭部５を下げた状態での使用時に、発生する前方向の水平荷重の増加に対しても、大きなひずみの要素がなく、１０Ｂの後面も抵抗となることから、前方向の水平荷重にも強い構造となっていること。
（５）本発明による土手枕（垂直撓み型土手枕と円弧状撓み型土手枕）は、クッションとしての機能を、付設したねじりコイルばね（１６、２６）の撓みを利用し行っていることから、クッション（１０Ａ、１０Ｂ）には基本的にはクッションの性能を自身で有する必要がない（従来の枕のように、ウレタンフォームの厚い層を利用する等のことは必要ない）、従って、クッション性のない、木や石等でも、夫々自身に適合した形状であれば使用が可能である。
従って、クッション（１０Ａ、１０Ｂ）を、金属を使用した容器状の物となして利用するときには、クッション（１０Ａ、１０Ｂ）は熱伝導率の良い物となることから、この中に冷媒を入れる等して、冷却装置の役割を担い、涼しい枕として使うことが可能となる等、その応用の範囲が広がること。
【発明を実施するための最良の形態】
【０００７】  本発明による土手枕（垂直撓み型土手枕と円弧状撓み型土手枕）の実施に当たっての要点は、以下の４項目となる。
（１）クッション（１０Ａ、１０Ｂ）は、本発明による土手枕の支える範囲を支える目的の物であることから、その幅は頭部の全面を支える構造の、従来の枕に比べて狭く、図２に示す７の前面〜７Ｄの中心までの幅Ｌ４と概略同等の大きさの幅となすこと。
（２）ばね式クッションバランサー（２３Ａ、２３Ｂ）についての動力源である、ねじりコイルばね（１６、２６）については、必ずしもねじりコイルばねを使用する必要はなく、圧縮コイルばね、引張りコイルばねの利用も可能であり、又、必ずしも金属である必要はないのでゴム等の材質の物も適用できる。
必要なことは、ばねとしての機能が備わった材料を用いて、本発明の機能を実施させる事に支障のない材質であればよい。
因みに、図３に示す本発明による土手枕（垂直撓み型土手枕）において、引張りコイルばねを利用する場合を例として説明すれば、ねじりコイルばね１６に替えて引張りコイルばねを用い、引張りコイルばねの両端末部の引張り用のフックを夫々軸１７左と軸１７右にかけて、軸１７左と軸１７右が中央部へ引っ張られる構造となすことで、ねじりコイルばね１６の使用時と同様の機能を得ることが出来る。
（３）ばね式クッションバランサー（２３Ａ、２３Ｂ）については、ねじりコイルばね（１６、２６）のアームの開き角度の制限及び反発力の強さの調整を行う装置を付加することが出来る。
又、図３、図４で説明した、本発明による土手枕（垂直撓み型土手枕と円弧状撓み型土手枕）については、左右対称的に設置された、ばね式クッションバランサー（２３Ａ、２３Ｂ）が平衡して動く構造であったが、ねじりコイルばね（１６、２６）のアームの開き角度の制限及び反発力の強さの調整を行う装置を付加して機能改善を行って、ばね式クッションバランサーの（改良型２３Ａ、改良型２３Ｂ）とし、（２３Ａ、２３Ｂ）に替えて用い、左右対称に配置したものは、（改良型２３Ａ、改良型２３Ｂ）の左、右を独立した調整を行うことで、各々の高さを変更できる構造となすことから、このような構造となして、利用する場合には、これを自動化してコントロールすることにより、本発明による土手枕（垂直撓み型土手枕と円弧状撓み型土手枕）のクッション（１０Ａ、１０Ｂ）の高さと、左右の傾きを、センサなどの信号によりコントロールして、クッション（１０Ａ、１０Ｂ）を左右に傾斜させることで、頭部５の向きを強制的に変更させる作用を付加した枕となる、又、このような作用は、寝返の助長、覚まし機などへ応用できるものである。
（４）本発明による土手枕（垂直撓み型土手枕と円弧状撓み型土手枕）は、枕の中央部へ頭部を乗せて、仰向けに寝た状態において、本発明による土手枕の支える範囲を適切に支えることを重要視したものであるから、直接的な効果としては、クッション（１０Ａ、１０Ｂ）の左右の幅も従来の枕に比べても小さく、図２のＬ３に示す程度（両耳の外側より少し大きい程度）まで小さくすることが可能であり、ばね式クッションバランサー（２３Ａ、２３Ｂ）は圧縮できることから、携帯用の枕としての小型化が出来ること。
通常はクッション（１０Ａ、１０Ｂ）の左右の幅については、従来の枕の幅と同じ程度の設計となすことで、ばねの効果を利用して寝返りもスムースに行えるものとなる。
又、大きな枕を好む人のためには、図５に示すように、本発明による土手枕（垂直撓み型土手枕と円弧状撓み型土手枕）を中心として、左側にクッション３３左を右側にクッション３３右を、後側にはクッション３３後を配置することで足りる。
【図面の簡単な説明】
【００１０】
【図１】  図１は水平に敷かれた敷布団やベッドのクッションの上に体を、真っ直ぐに伸ばして枕を使用し、仰向けに寝た場合の、体の中心部に置ける断面の輪郭を、左の方向から見た側面図である。（枕は割愛している）
【図２】  図２は汎用の枕を示す斜視図である。
【図３】  図３は本発明による土手枕（垂直撓み型土手枕）の前方の正面図である。
【図４】  図４は本発明による土手枕（円弧状撓み型土手枕）の正面図及び断面図である。
【図５】  図５は本発明による土手枕（垂直撓み型土手枕、円弧状撓み型土手枕）の使用態様の例において、配置例を示す平面図である。
【符号の説明】
【００１１】ａ．マットに沈んだ臀部の最低の位置を示す点（最も沈んだ部分の位置）
ｂ．マットに沈んだ背中の部分で最低の位置を示す点（最も沈んだ部分の位置）
ｃ．首の裏側（仰向けに寝た状態で、頚椎の下側）の部分であって、直線Ｘ−Ｘ’線までの距離が最も長い地点を示す点である
ｃ’．点ｃから線Ｘ−Ｘ’へ下ろした垂線が、線Ｘ−Ｘ’と交わる点
ｄ．後頭部の凸の部分であって、直線Ｘ−Ｘ’線までの距離が最も短い地点を示す点である
ｄ’．点ｄから線Ｘ−Ｘ’へ下ろした垂線が、線Ｘ−Ｘ’と交わる点
Ｈ１．点ｃ〜点ｃ’間の距離（点ｃの直線Ｘ−Ｘ’からの高さ）
Ｈ２．点ｄ〜点ｄ’間の距離（点ｄの直線Ｘ−Ｘ’からの高さ）
Ｌ１．点ｂ〜点ｃ’間の距離（間隔）
Ｌ２．点ｃ’〜点ｄ’間の距離（間隔）
Ｌ３．概略、人間の両耳の外側間の幅の長さ
Ｌ４．７の前面〜７Ｄの中心点までの幅
Ｌ５．７の後面から７Ｄの中心点までの幅
Ｘ−Ｘ’．点ａと点ｂを通る直線
１．胸
２．首
３．顎
４．鼻
５．頭部
６．頭部の頂点（直立した姿勢における頂点の個所の部分）
７．従来から広く使用されている枕
７Ｃ．首方向の土手
７Ｄ．窪み
８．クッション材の部分
９．芯の部分
１０Ａ．クッション（本発明による垂直撓み型土手枕用）
１０Ｂ．クッション（本発明による円弧状撓み型土手枕用）
１１Ａ．クッションベース（本発明による垂直撓み型土手枕用）
１１Ｂ．クッションベース（本発明による円弧状撓み型土手枕用）
１２Ａ．ベース（本発明による垂直撓み型土手枕用）
１２Ｂ．ベース（本発明による円弧状撓み型土手枕用）
１３．軸受（クッションベース１１Ａの下部の左と右へ設置したもの）
１４左．軸（左側）
１４右．軸（右側）
１５．ばね１６の支持板（アーム１９用）
１６．ねじりコイルばね
１７左．軸（左側）
１７右．軸（右側）
１８．ばね１６の支持板（アーム２０用）
１９．アーム（上用）
２０．アーム（下用）
２１左．軸（左側）
２１右．軸（右側）
２２．軸受
２３Ａ．ばね式クッションバランサー（本発明による垂直撓み型土手枕用）
２３Ｂ．ばね式クッションバランサー（本発明による円弧状撓み型土手枕用）
２４．シャフト
２５．シリンダー
２６．ねじりコイルばね
２７．軸受
２８．軸
２９左．クッション（本発明による土手枕の左側に配置されたもの）
２９右．クッション（本発明による土手枕の右側に配置されたもの）
３０．クッション（本発明による土手枕の後部に配置されたもの）
３１．クッション台３２の表面前方の一部
３２．クッション台（後部クッション用）
【図１】
2013223696.tif 000003
【図２】
2013223696.tif 000004
【図３】
2013223696.tif 000005
【図４】
2013223696.tif 000006
【図５】
2013223696.tif 000007